(57)【要約】  本発明は、無騒音加圧送風機に関するものであり、このような送風機は、中空部が形成され、流体が吸い込まれる吸入口と吸い込まれた流体を排出する排気口とが形成される本体と、上記本体の中空部に装着され、回転により上記吸入口から流体を吸い込む加圧機構と、上記本体の中空部に装着され、上記加圧機構と接触した状態で回転し、吸い込まれた流体が上記吸入口へ移動するのを防止する制御機構と、モータにより駆動する回転力を、上記加圧機構と上記制御機構に連動するように連結する連動手段とで構成され、上記本体は、２つの円筒が側面に連通するように形成される形状であり、上記加圧機構は、上記連動手段により回転する加圧回転軸と、上記加圧回転軸に装着された螺旋形の加圧板とからなり、また、上記制御機構は、上記連動手段により回転する制御回転軸と、上記制御回転軸に装着され、上記加圧板と線接触して回転する制御体とで構成される。このような構成により、高速や低速の回転においても騷音が発生するのを防止することができ、加圧機構と制御機構により空気を吸い込んで排出するので、ダクトなどにより抵抗が発生する場所にも確実に空気を移送することができ、電気を節約できる効果を奏する。
2011530042.tif 000002
【特許請求の範囲】
【請求項１】
中空部が形成され、流体が吸い込まれる吸入口１１と吸い込まれた流体を排出する排気口１２とが形成される本体１０と、
上記本体１０の中空部に装着され、回転により上記吸入口１１から流体を吸い込む加圧機構２０と、
上記本体１０の中空部に装着され、上記加圧機構２０と接触した状態で回転し、吸い込まれた流体が上記吸入口１１に移動するのを防止する制御機構３０と、
モータ４０により駆動する回転力を、上記加圧機構２０と上記制御機構３０に連結し、同一の回転数で回転させる連動手段とで構成されることを特徴とする、無騒音加圧送風機。
【請求項２】
上記本体１０は、２つの円筒１３が側面に連通するように形成される形状であり、上記加圧機構２０は、上記連動手段により回転する加圧回転軸２１と、上記加圧回転軸２１に装着された螺旋形の加圧板２３とからなり、また、上記制御機構３０は、上記連動手段により回転する制御回転軸３１と、上記制御回転軸３１に装着され、上記加圧板２３と線接触して回転する制御体３３とで構成されることを特徴とする、請求項１に記載の無騒音加圧送風機。
【請求項３】
上記本体１０には、上記加圧機構２０と上記制御機構３０が交互に装着されることを特徴とする、請求項１または請求項２に記載の無騒音加圧送風機。
【請求項４】
上記吸入口１１の縁部は、鋸歯状であることを特徴とする、請求項１または請求項２に記載の無騒音加圧送風機。
【請求項５】
上記連動手段は、ギア５０で構成されることを特徴とする、請求項２に記載の無騒音加圧送風機。
【請求項６】
上記本体１０は、中空部が形成される円筒１３と、側面に連通する隔室１５とからなる形状であり、上記加圧機構２０は、上記連動手段により回転する加圧回転軸２１と、上記加圧回転軸２１に装着された２つの螺旋形の翼２５とからなって上記円筒１３に装着され、また、上記制御機構３０は、上記連動手段により回転し、上記隔室１５に装着される制御回転軸３１と、円板形状で、半径方向に一定部分切り取られた切取り溝３７が形成され、上記制御回転軸３１に装着され、上記翼２５が上記切取り溝３７を貫通して回転する制御パネル３５とで構成されることを特徴とする、請求項１に記載の無騒音加圧送風機。
【請求項７】
上記本体１０は、一つの上記隔室１５と、上記隔室１５の両側面に連通するように形成される２つの円筒１３とで構成され、上記隔室１５には、上記制御機構３０が装着され、２つの上記円筒１３には、上記加圧機構２０がそれぞれ安着することを特徴とする、請求項６に記載の無騒音加圧送風機。
【請求項８】
上記連動手段は、ギア５０やタイムベルト６０により構成されることを特徴とする、請求項６に記載の無騒音加圧送風機。
【発明の詳細な説明】
【技術分野】
【０００１】
本発明は、無騒音加圧送風機に関し、より詳細には、加圧機構と、上記加圧機構と接触した状態で回転する制御機構とにより空気を移送するもので、騷音の発生を防止し、ダクトにより抵抗が多く発生する場所にも装着できる無騒音加圧送風機に関する。
【０００２】
一般に、送風機は、気体、特に空気を用いた風の流れの強度を大きくするものであって、ターボ型送風機と容積型送風機とに大別される。このうちターボ型送風機は、回転車が回転することにより発生する翼の揚力によってエネルギーを得る軸流送風機と、遠心力によりエネルギーを得る遠心送風機とに分かれる。
【０００３】
このような送風機のうち、遠心多翼送風機は、全体として円筒状である本体の一側面の中央に吸入口を備え、円周面の一側に流出口を形成し、円筒状の本体の内側円筒を中心とする軸を中心に回転するブレード、そしてスクロール及びインペラなどで形成されている。それにより、複数枚備えられた小さな翼であるブレードが一側に傾いて回転し、多数のブレードに形成された円柱状のインペラの中央へ空気を吸い込み、外側に吹き出すように形成されたものである。
【背景技術】
【０００４】
このような送風機は、換気が必要な工場、室内作業場、地下室、食堂、厨房などに装着して用いられている。このような送風機は、高速で回転するため、空気の摩擦により騷音が発生するだけでなく、ダクトを用いる場合には、ダクトの抵抗により空回転が発生し、電力が損失するだけでなく、渦流による騷音が発生し、換気がうまくできないという問題がある。
【発明の概要】
【発明が解決しようとする課題】
【０００５】
従って、本発明は、上記のような問題を解決するために創案したものであって、本発明の目的は、空気の摩擦を最小化して騷音の発生を防止し、ダクトなどにより抵抗が発生する場所にも、確実に空気を移送できる無騒音加圧送風機を提供することにある。
【課題を解決するための手段】
【０００６】
このような上記目的は、本発明により達成され、本発明の一面により、無騒音加圧送風機は、中空部が形成され、流体が吸い込まれる吸入口と吸い込まれた流体を排出する排気口とが形成される本体と、上記本体の中空部に装着され、回転により上記吸入口から流体を吸い込む加圧機構と、上記本体の中空部に装着され、上記加圧機構と接触した状態で回転し、吸い込まれた流体が上記吸入口へ移動するのを防止する制御機構と、モータにより駆動する回転力を、上記加圧機構と上記制御機構に連動するように連結する連動手段とで構成されることを特徴とする。
【０００７】
そして、上記本体は、２つの円筒が側面に連通するように形成される形状であり、上記加圧機構は、上記連動手段により回転する加圧回転軸と、上記加圧回転軸に装着された螺旋形の加圧板とからなり、また、上記制御機構は、上記連動手段により回転する制御回転軸と、上記制御回転軸に装着され、上記加圧板と線接触して回転する制御体とで構成されることを特徴とする。
【０００８】
また、上記本体には、上記加圧機構と上記制御機構とが交互に装着されることを特徴とする。
【０００９】
本発明において、上記吸入口の縁部は、鋸歯状であることを特徴とする。
【００１０】
そして、上記連動手段は、ギアで構成されることを特徴とする。
【００１１】
本発明の他面により、上記本体は、中空部が形成される円筒と側面に連通する隔室とからなる形状であり、上記加圧機構は、上記連動手段により回転する加圧回転軸と、上記加圧回転軸に装着された２つの螺旋形の翼とからなって上記円筒に装着され、また、上記制御機構は、上記連動手段により回転し、上記隔室に装着される制御回転軸と、円板形状で、半径方向に一定部分切り取られた切取り溝が形成され、さらに上記制御回転軸に装着され、上記翼が上記切取り溝を貫通して回転する制御パネルとで構成されることを特徴とする。
【００１２】
そして、上記本体は、一つの上記隔室と、上記隔室の両側面に連通するように形成される２つの円筒とで構成され、上記隔室には、上記制御機構が装着され、２つの上記円筒には、上記加圧機構がそれぞれ安着することを特徴とする。
【００１３】
また、上記連動手段は、タイムベルトにより構成されることを特徴とする。
【発明の効果】
【００１４】
本発明の上記のような構成により、低速で回転するため、騷音が発生するのを防止することができ、加圧機構と制御機構により空気を吸い込んで排出するので、ダクトなどにより抵抗が発生する場所にも確実に空気を移送することができ、また、出入り口により空気の流入が少ない場所でも換気効果が発生する。そして、本発明の無騒音加圧送風機は、定量で持続的に流体を移送できるようになるので、多様な装置にも適用できる効果を奏する。
【図面の簡単な説明】
【００１５】
【図１】図１は、本発明の一実施例による無騒音加圧送風機の斜視図である。
【図２】図２は、図１に示す送風機の平面図である。
【図３】図３は、図１に示す送風機の断面図である。
【図４】図４は、図１に示す送風機の要部分解斜視図である。
【図５】図５は、加圧機構と制御機構を説明するための図である。
【図６】図６は、図１に示す送風機の作動状態を説明するための図である。
【図７】図７は、他の実施例による無騒音加圧送風機の斜視図である。
【図８】図８は、図７に示す無騒音加圧送風機の要部分解斜視図である。
【図９】図９は、本発明の他の実施例による無騒音加圧送風機の斜視図である。
【図１０】図１０は、図９に示す送風機の構成図である。
【図１１】図１１は、図９に示す送風機の要部分解斜視図である。
【図１２】図１２は、図９に示す送風機に装着された加圧機構の斜視図である。
【図１３】図１３は、図９に示す送風機に装着された制御機構の斜視図である。
【図１４】図１４は、図９に示す送風機の作動状態を説明するための図である。
【図１５】図１５は、図９に示す送風機の空気の流れを説明するための図である。
【図１６】図１６は、本発明の他の実施例による無騒音加圧送風機の斜視図である。
【図１７】図１７は、図１６に示す無騒音加圧送風機の要部分解斜視図である。
【発明を実施するための形態】
【００１６】
以下、添付した図面を参照して本発明の望ましい実施例を詳述し、全図面において同一の部分には同一の図面符号を付することにする。
【００１７】
図１は、本発明の一実施例による無騒音加圧送風機の斜視図であり、図２と図３は、図１に示す送風機の平面図と断面図である。また、図４は、送風機の要部分解斜視図である。
【００１８】
図示するように、図面符号１で示した本発明による無騒音加圧送風機は、本体１０、加圧機構２０及び制御機構３０などで構成される。
【００１９】
上記本体１０は、図３に示すように、３つの円筒１３が側面に連通する形状であり、外側に位置する２つの連通の側面には、吸入口１１と排気口１２がそれぞれ形成されている。そして、上記本体１０の外部には、ケース５が装着されるようになる。
【００２０】
上記本体１０の中央に位置した円筒１３には、上記制御機構３０が装着され、側面に位置した２つの円筒１３には、上記加圧機構２０がそれぞれ装着される。
【００２１】
図２及び図３に示すように、モータ４０により駆動する回転力は、ギア５０を通じて上記加圧機構２０と制御機構３０とをそれぞれ駆動するが、上記ギア５０により、上記制御機構３０と上記加圧機構２０の回転方向は互いに反対方向に回転し、回転速度は互いに同一の回転速度を維持する。
【００２２】
また、上記本体１０に形成される上記吸入口１１と上記排気口１２は、上記加圧機構２０が安着する円筒１３にそれぞれ形成されるが、図４に示すように、上記吸入口１１は、鋸歯形状になっており、空気を吸い込む初期に発生する騷音を低減できるようになる。
【００２３】
また、図示するように、一対の吸入口１１と一対の排気口１２は、互いに反対方向に位置する。このように互いに異なる位置に位置した上記吸入口１１と上記排気口１２は、同一の方向に空気を吸い込み、同一の方向に空気を排出することができなくなる。従って、反対方向に備えられる上記吸入口１１と上記排気口１２は、連通口７０により互いに連結され、このような連通口７０は、図１に示すように、上記本体１０とケース５との間に位置する。上記連通口７０により上記吸入口１１と上記排気口１２が互いに連結されるので、一側の空気を他側に送風できるようになる。
【００２４】
上記加圧機構２０は、ギア５０により回転する加圧回転軸２１と、上記加圧回転軸２１に装着された加圧板２３とからなる。図５に示すように、上記加圧板２３は、螺旋形であるが、断面が半円形状をなし、上記加圧回転軸２１の両側面に一対として固定される。
【００２５】
上記制御機構３０は、ギア５０により回転する制御回転軸３１と、上記制御回転軸３１に装着され、上記加圧板２３と密着して回転する制御体３３とで構成される。上記制御体３３は、図５に示すように、螺旋形をなすが、内部に中空部が形成され、一定の体積を有する。
【００２６】
上記加圧機構２０と上記制御機構３０は、同一の回転速度で回転するが、上記加圧板２３と上記制御体３３は、長手方向に線接触をしながら互いに回転する。従って、上記制御体３３と上記加圧板２３は、常に接触して回転するので、上記加圧板２３と上記制御体３３との間には空間がなくなり、空気の流れが遮断される。
【００２７】
本発明の上記のような構成による作動は、図６を参照して説明する。
【００２８】
図示するように、反対方向に同一の速度で回転する上記加圧機構２０と制御機構３０は、互いに線接触をしながら回転するので、上記加圧機構２０と上記制御機構３０との間には空気が移動できないように遮断される。
【００２９】
従って、回転する上記加圧機構２０により上記吸入口１１では空気が吸い込まれ、このように吸い込まれた空気は、上記加圧板２３に沿って移動し、反対側に位置した上記排気口１２を通じて排出できるようになる。
【００３０】
図示するように、一対の上記吸入口１１と上記排気口１２は、互いに反対に位置するため、一対の上記吸入口１１と一対の上記排気口１２は、それぞれ連通口７０により互いに連通するようになるので、一側で空気を吸い込み、他側に空気を排出できるようになる。（図１参照）
【００３１】
図７及び図８には、本発明による無騒音加圧送風機の他の実施例が示されている。
【００３２】
図示するように、上述した一実施例では、一つの制御機構３０と２つの加圧機構２０が装着されているが、他の実施例は、一つの加圧機構２０と一つの制御機構３０とで構成され得る。それぞれの構成要素と作動は、一実施例と同一又は類似しているので、以下の説明は省略する。また、同じ方式により、上記制御機構３０と上記加圧機構２０は、２つ以上に連結されるように構成することができるのも自明であるので、詳細な説明は省略する。
【００３３】
図９〜図１５には、本発明による無騒音加圧送風機の他の実施例が示されている。
【００３４】
図示するように、他の実施例においても、本体１０、加圧機構２０及び制御機構３０などで構成される。
【００３５】
上記本体１０は、図１１に示すように、２つの円筒１３が離隔して安着し、上記円筒１３と円筒１３との間には隔室１５が形成され、互いに連通するようになる。また、上記本体１０の外部は、ケース５によりカバーされ、図９のような形状をなす。
【００３６】
上記加圧機構２０は、図１２に示すように、モータ４０の回転により回転する加圧回転軸２１と、上記加圧回転軸２１に装着された２つの螺旋形の翼２５とからなり、上記円筒１３にそれぞれ装着される。
【００３７】
また、図１３に示す上記制御機構３０は、モータ４０により回転し、上記隔室１５に装着される制御回転軸３１と、円板形状で、半径方向に一定部分切り取られた切取り溝３７が２つ形成されている。
【００３８】
上記加圧機構２０は、円筒１３にそれぞれ安着し、上記制御機構３０は、上記隔室１５に装着されるが、図１０及び図１１に示すように、上記制御回転軸３１は、水平に装着され、上記加圧回転軸２１は、垂直に装着される。
【００３９】
また、上記制御パネル３５に形成された一対の切取り溝３７には、上記加圧機構２０の翼２５が貫通する。上記翼２５は、回転しながら移動する上記切取り溝３７に安着するために、図１２に示すように、屈曲した螺旋形をなすようになる。
【００４０】
本発明の上記のような構成となる無騒音加圧送風機の作動を、図１４及び図１５を参照して説明する。
【００４１】
図示するように、上記制御機構３０と上記加圧機構２０は、同一の回転速度を維持しながら回転する。
【００４２】
回転する一対の翼２５は、図１４に示すように、上記制御パネル３５に形成された切取り溝３７を貫通する。
【００４３】
円板形状の上記制御パネル３５は、空気が移動するのは防止しても、図１４に示すように、上記切取り溝３７に沿って上記加圧機構２０の上記翼２５は貫通できるようになる。このような過程により、図１５に示すように空気を送風する。
【００４４】
図１６及び図１７には、本発明の他の実施例による無騒音加圧送風機が示されている。図示するように、加圧機構２０が２つ形成されるのではなく、一つの制御機構３０と一つの加圧機構２０とで構成され、ギア５０やタイムベルト６０により連結される。このような構成の作動は、上述したところと同一であるので、以下の説明は省略する。
【００４５】
本発明による無騒音加圧送風機は、空気を送風する装置としてのみ用いられるのではなく、水や化学薬品のような流体を移送するポンプとしても活用できる。
【００４６】
以上で説明したのは、本発明の無騒音加圧送風機を実施するための一つの実施例に過ぎないものであって、本発明は、上記実施例に限定されず、以下の特許請求の範囲で請求するように、本発明の要旨を逸脱することなく、当該発明の属する分野において通常の知識を有する者であれば、誰でも多様な変更実施が可能な範囲まで本発明の技術的思想があると言える。
【産業上の利用可能性】
【００４７】
送風機が低速で回転するため、騷音の発生を防止することができ、加圧機構と制御機構により空気を吸い込んで排出するので、ダクトなどにより抵抗が発生する場所にも、確実に空気を移送することができる。また、本発明の無騒音加圧送風機は、定量で流体を持続的に移送できるので、ポンプにも適用することができる。
【符号の説明】
【００４８】
１  加圧送風機
１０  本体
１１  吸入口
１２  排気口
１３  円筒
１５  隔室
２０  加圧機構
２１  加圧回転軸
２３  加圧板
２５  翼
３０  制御機構
３１  制御回転軸
３３  制御体
３５  制御パネル
３７  切取り溝
７０  連通口
【図１】
2011530042.tif 000003
【図２】
2011530042.tif 000004
【図３】
2011530042.tif 000005
【図４】
2011530042.tif 000006
【図５】
2011530042.tif 000007
【図６】
2011530042.tif 000008
【図７】
2011530042.tif 000009
【図８】
2011530042.tif 000010
【図９】
2011530042.tif 000011
【図１０】
2011530042.tif 000012
【図１１】
2011530042.tif 000013
【図１２】
2011530042.tif 000014
【図１３】
2011530042.tif 000015
【図１４】
2011530042.tif 000016
【図１５】
2011530042.tif 000017
【図１６】
2011530042.tif 000018
【図１７】
2011530042.tif 000019
【国際調査報告】
2011530042.tif 000020
2011530042.tif 000021
2011530042.tif 000022
2011530042.tif 000023